(57)【要約】【課題】  本発明では、揮発性香りの拡散機能を持つ携帯時計および装身具の装置を提供する。【解決手段】  携帯時計および装身具に揮発性香りを含む部品を使用する事により該時計および装身具の機能とは異なる効果である香りを発生させる機能を付与する。香りを発生する部材は該時計および装身具の構成部品とするだけでなく、香り発生部材を取り付け取り外し可能とすることで異なる種類の香りを発生させる事ができる。【選択図】図１
2020124452.tif 000002
【特許請求の範囲】
【請求項１】
腕時計、装身具および人体に付ける装飾品に香りを付与する装置。香りを付与する装置は該腕時計および装身具の構成部品であり、香りを発生、または消臭する部材であることを特徴とする。
【請求項２】
腕時計、装身具および人体に付ける装飾品に香りを付与する装置。香りを付与する装置は該腕時計、装身具および人体に付ける装飾品の構成部品であり、香りを発生、または消臭する部材であり人体への物理的かつ化学的刺激が少なく違和感のない柔軟な素材を用いることを特徴とする。
【請求項３】
請求項２において、腕時計、装身具および人体に付ける装飾品に香りを付与する装置は該腕時計、装身具および人体に付ける装飾品の構成部品は微細な小孔を有する柔軟に変形可能なゴム成型品であり香り剤を含浸できる部材であることを特徴とする。
【請求項４】
請求項３において、腕時計における構成部品が細かい孔を有するゴム製のベルトであり該ベルトに香料を含浸させる事を特徴とする。
【請求項５】
請求項４において、腕時計の構成部品であるベルトはシリコン製ゴムで有ることを特徴とする。
【請求項６】
腕時計、装身具および人体に付ける装飾品に香りを付与する装置は該腕時計および装身具の構成部品とは異なる部品材であり、この部品材を該腕時計、装身具および装飾品に取り付け、取り外しが可能とすることで、前記部品材の発生する香りを変更できることを特徴とする。
【請求項７】
請求項６において、腕時計、装身具および人体に付ける装飾品に香りを付与する部品材は微細な小孔を有する柔軟に変形可能なゴム製品であり香り成分を含浸できる部材であることを特徴とする。
【請求項８】
請求項７において香りを付与する部品材は微細な小孔を有する柔軟に変形可能なシリコンゴム成型品であり香り成分を含浸できる部材であることを特徴とする。
【発明の詳細な説明】
【技術分野】
【０００１】  本発明は、腕時計および装身具に香りを付与する装置に関する。
【背景技術】
【０００２】    腕時計および装身具は多様化した多様化した分野で利用されてきており、夫々の利用目的に応じた時計、装身具の品質、利便性などが求められている。本来、腕時計および装身具に求められる機能である、時刻認知や装身具としての満足感等だけではなく、特に人体に装着する事から、人体には刺激が少なく違和感のない事と人間の感覚器官と整合が必要である。腕時計および装身具には視覚認識や音認識能、装着時の違和感がない事が求められ他の感覚である嗅覚とは整合が薄いと考えられている。【０００３】  しかしながら、時計に香り付与の装置として登録実用新案登録や時計のアクセサリー止め具の特許願が提出されている。特許文献の特開２００１−１７８５２５号にはアクセサリー止め具として時計に取り付ける構造をもつ。アクセサリー止め具のゴムリング構造であり時計構造部品ではない。また、香水等の香りは阿世する機能は無い。実用新案登録  第３１４４５５８号では時計の構造体として香水等の揮発性溶液を拡散する考案が記載されている。香水拡散機能を持つ機構を時計本体に備えるため、複雑で高価な時計となる。【０００４】
【特許文献】特開２００１−１７８５２５号公報
【実用新案文献】
実用新案登録  第３１４４５５８号
【発明の概要】
【発明が解決しようとする課題】  腕時計および装身具には視覚認識や音認識機能が必要であり、人体へのアクセサリー要素として本人の美的満足感も重要である。かつ人体への装着時に物理的違和感のない事が求められる。人間として５感である視覚、聴覚、触覚、嗅覚、味覚の内、嗅覚とは整合が薄く如何に連携を採るか課題である。よって腕時計や装身具に付ける部材としては弾力性のあるゴム製品が望ましい。ゴム製品は柔軟に変形する特徴から材質として微少な孔を持っており香り成分を含ませる事が容易である。従って香り発生部材としては柔軟で微少な孔を持つ部材が適している。
【発明が解決しようとする手段】
【０００５】  柔軟性があり微少な孔を有する部材が香り成分を含むことに効果があり、かつ人体への刺激が少ない材質を香り付与する部材として採用することが必要となる。このような材料を用いて香り発生部材とする事が良い。よって柔軟性のあるゴム製品を香り発生する部材を用いて腕時計および装身具に香り発生手段を付与する。腕時計や装身具の範囲にとどまらず装飾品全般に香りを付与することができる。ゴム製品は成型性にも優れており香り発生部材として適する。
【発明の効果】
【０００６】  腕時計および装身具に嗅覚手段を付与し、人体へのアクセサリー要素として本人の美的満足感に加え、香り満足感得る相乗効果を得る。
【図面の簡単な説明】
【０００７】
【図１】は本発明の香り時計の構造斜視図である。時計本体１０１と時計構成部品のベルト１０２、１０３で構成される。ベルトには止め具（１０６）の孔１０４、孔１０５がある。［図１］では２カ所の孔を図示しているが実際にはベルトの機能から複数の孔を有する。ベルト１０２、ベルト１０３は香り時計部品で香り発生する部材でもある。
【図２】は本発明の香り時計の構造斜視図である。時計本体２０１と時計構成部品のベルト２０２、２０３で構成される。ベルト（２０２，２０３）には止め具（２０６）の孔２０４、孔２０５がある。［図２］では２カ所の孔を図示しているが実際にはベルトの機能から複数の孔を有する。香り発生部材２０７は孔２０５に挿入（２０８）される事を示している。香り発生部材２０９は止め具（２０６）が使用していない他の孔に複数挿入（２１０）しても良い。香り発生部材２０７および２０９は同一の香り発生部材でも異なる香り発生部材でも良く、各種の香りを楽しむ事が可能である。
【図３】は本発明の香り発生する装身具の構造斜視図である。装身具の例として腕輪を想定している。腕輪本体３０１と腕輪本体に例として設けられた孔（３０２、３０３、３０４、３０５、３０６、３０７、３０８）と香り発生部材３０９、３１１で構成される。香り発生部材３０９は孔３０５に挿入（３１０）される事をしめしている。香り発生部材３１１は孔（３０３）に挿入（３１２）することを図示している。香り発生部材３０９および３１１は他の孔に複数挿入しても良い。また香り発生部材３０９および３１１は同一の香り発生部材でも異なる香り発生部材でも良く、組み合わせて各種の香りを楽しむ事が可能である。
【０００８】
【図１】  本発明実施例の香り付与する時計構造である。
【図２】  本発明実施例の香りを付与する香り時計の構成である。
【図３】  本発明実施例の装身具に香りを付与する構造である。
【発明を実施するための形態】
【実施例１】
【０００９】  ［図１］に示す。
【実施例２】
【００１０】  ［図２］に示す。
【実施例３】
【００１１】  ［図３］に示す。
【産業上の利用可能性】
【００１２】  装飾品や時計等の装身具に香りを簡便に付与することができる。香りを持つ装飾品全般の産業分野を広げる事ができる。
【符号の説明】
【００１３】１００  香り時計斜視図
１０１  香り付与対象の時計本体
１０２  香りを付与する時計のベルト
１０３  香りを付与する時計のベルト
１０４  香りを付与する時計のベルト孔
１０５  香り付与対象の時計のベルト孔
１０６  香り時計の止め具
２００  香り時計斜視図
２０１  香り時計本体
２０２  香り時計のベルト
２０３  香り時計のベルト
２０４  香り時計ベルトの孔
２０５  香り時計ベルトの孔
２０６  香り時計の止め具
２０７  香り部材
２０８  香り部材取り付け方向
２０９  香り部材
２１０  香り部材取り付け方向
３００  腕輪斜視図
３０１  腕輪本体
３０２  腕輪本体の孔
３０３  腕輪本体の孔
３０４  腕輪本体の孔
３０５  腕輪本体の孔
３０６  腕輪本体の孔
３０７  腕輪本体の孔
３０８  腕輪本体の孔
３０９  香り発生部材
３１０  香り発生部材の取り付け方向
３１１  香り発生部材
３１２  香り発生部材の取り付け方向
【図１】
2020124452.tif 000003
【図２】
2020124452.tif 000004
【図３】
2020124452.tif 000005